(57)【要約】      （修正有）【課題】構造が簡単で、組立及び輸送が便利なモジュラー展示パネルを提供する。【解決手段】モジュラー展示パネルは、展示パネルモジュール１、連結部品およびヒンジ部品を含む。展示パネルモジュール１の４つの角に４５°の面取り構造が設けられ、該４つの角の厚さ方向の中部にスロット１０２が設けられる。スロット１０２の両側のいずれにもいくつかの棒状突起１０３と、棒状突起１０３と垂直ないくつかのリブ１０４とが設けられ、隣接するリブ１０４の間に凹部１０５が設けられる。連結部品、ヒンジ部品のいずれにも環状突起または三角状凸台が設けられ、連結部品の上下および／または左右両側に、いくつかの棒状溝が対称に設けられる。棒状溝は、展示パネルモジュール１のスロット１０２の棒状突起１０３と相互に嵌合し、隣接する展示パネルモジュール１間の嵌合接続を実現する。【選択図】図２
0003206333.tif 000002
【実用新案登録請求の範囲】
【請求項１】
いくつかの展示パネルモジュール（１）、いくつかの連結部品、およびいくつかのヒンジ部品を含むモジュラー展示パネルであって、前記展示パネルモジュール（１）が矩形状を呈し、展示パネルモジュール（１）の４つの角に４５°の面取り構造が設けられ、該４つの角の厚さ方向の中部にスロット（１０２）が設けられ、スロット（１０２）の両側のいずれにもいくつかの棒状突起（１０３）と、棒状突起（１０３）と垂直ないくつかのリブ（１０４）とが設けられ、隣接するリブ（１０４）の間に凹部（１０５）が設けられるモジュラー展示パネルであって、
前記連結部品、ヒンジ部品のいずれにも、いくつかの環状突起または三角状凸台が設けられ、連結部品の上下および／または左右両側にいくつかの棒状溝が対称に設けられ、前記棒状溝が、展示パネルモジュールのスロットの棒状突起（１０３）と相互に嵌合し、隣接する展示パネルモジュール間の嵌合接続を実現し、
前記連結部品が第１連結部品（２）、第２連結部品（４）、第３連結部品（５）、第４連結部品（８）、第５連結部品（９）、第６連結部品（１０）、第７連結部品（１１）、第８連結部品（１２）、第９連結部品（１３）、第１０連結部品（１４）、第１１連結部品（１５）、第１２連結部品（１６）、第１３連結部品（１９）、第１４連結部品（２０）および第１５連結部品（２１）を含み、前記ヒンジ部品が第１ヒンジ部品（３）、第２ヒンジ部品（６）、第３ヒンジ部品（７）および第４ヒンジ部品（１７）を含み、
このうち、Ｔ字形を呈して配列する６枚の展示パネルモジュール（１）を、順番に頂端から中間および底端まで、それぞれ第１０連結部品（１４）、第１２連結部品（１６）および第８連結部品（１２）により一体に接続し、十字形を呈して配列する８枚の展示パネルモジュール（１）を、順番に頂端から中間および底端まで、それぞれ第１３連結部品（１９）、第１４連結部品（２０）および第１５連結部品（２１）により一体に接続することを特徴とする、モジュラー展示パネル。
【請求項２】
前記第８連結部品（１２）は、３枚の接続プレート（１２０１）が一体に接続してなるＴ字形の差込部品であり、各接続プレート（１２０１）の頂部両側のいずれにも棒状の縦方向溝（１２０２）が設けられ、各接続プレート（１２０２）の底部両側のいずれにも三角状突台（１２０３）が設けられ、隣接する２枚の接続プレート（１２０２）の三角状凸台（１２０３）が相互に接続して、展示パネル底端の嵌合接続部（１２０４）が形成され、前記展示パネル底端の嵌合接続部（１２０４）内に円形の貫通孔を設けることを特徴とする、請求項１に記載のモジュラー展示パネル。
【請求項３】
前記第１０連結部品（１４）は、３枚の接続プレート（１４０１）が一体に接続してなるＴ字形の差込部品であり、各接続プレート（１４０１）の底部両側のいずれにも棒状の縦方向溝（１４０４）が設けられ、各接続プレート（１４０１）の頂部両側のいずれにも三角状凸台（１４０３）が設けられ、隣接する２枚の接続プレート（１４０１）の三角状凸台（１４０３）が相互に接続して、展示パネル頂端の嵌合接続部（１４０２）が形成され、前記展示パネル頂端の嵌合接続部（１４０２）内に円形の貫通孔を設けることを特徴とする、請求項１に記載のモジュラー展示パネル。
【請求項４】
前記第１２連結部品（１６）は、３枚の接続プレート（１６０２）が一体に接続してなるＴ字形の差込部品であり、各接続プレート（１６０２）の頂部両側および底部両側のいずれにも棒状の縦方向溝（１６０３）が設けられ、各接続プレート（１６０２）の中部両側のいずれにも三角状凸台（１６０４）が設けられ、隣接する２枚の第２接続プレート（１６０２）の三角状凸台（１６０４）が相互に接続して、展示パネル中間の嵌合接続部（１６０１）が形成され、前記展示パネル中間の嵌合接続部（１６０１）内に円形の貫通孔を設けることを特徴とする、請求項１に記載のモジュラー展示パネル。
【請求項５】
前記第１３連結部品（１９）は、４枚の接続プレート（１９０１）が一体に接続してなる十字形の差込部品であり、各接続プレート（１９０１）の頂部両側のいずれにも棒状の縦方向溝（１９０２）が設けられ、各接続プレート（１９０１）の底部両側のいずれにも三角状凸台（１９０４）が設けられ、隣接する２枚の接続プレート（１９０１）の三角状凸台（１９０４）が相互に接続して、展示パネル頂端の嵌合接続部（１９０３）が形成され、前記展示パネル頂端の嵌合接続部（１９０３）内に円形の貫通孔を設けることを特徴とする、請求項１に記載のモジュラー展示パネル。
【請求項６】
前記１４連結部品（２０）は、４枚の接続プレート（２００２）が一体に接続してなる十字形の差込部品であり、各接続プレート（２００２）の頂部両側および底部両側のいずれにも棒状の縦方向溝（２００３）が設けられ、各接続プレート（２００２）の中部両側のいずれにも三角状凸台（２００４）が設けられ、隣接する２枚の接続プレート（２００２）の三角状凸台（２００４）が相互に接続して、展示パネル中間の嵌合接続部（２００１、２００５）が形成され、前記展示パネル中間の嵌合接続部（２００１、２００５）内に円形の貫通孔を設けることを特徴とする、請求項１に記載のモジュラー展示パネル。
【請求項７】
前記第１５連結部品２１は、４枚の接続プレート（２１０１）が一体に接続してなる十字形の差込部品であり、各接続プレート（２１０１）の頂部両側のいずれにも棒状の縦方向溝（２１０２）が設けられ、各接続プレート（２１０１）の底部両側のいずれにも三角状凸台（２１０５）が設けられ、隣接する２枚の接続プレート（２１０１）の三角状凸台（２１０５）が相互に接続して、展示パネル底端の嵌合接続部（２１０３）が形成され、前記展示パネル底端の嵌合接続部（２１０３）内に円形の貫通孔を設けることを特徴とする、請求項１に記載のモジュラー展示パネル。
【考案の詳細な説明】
【技術分野】
【０００１】
本考案は展示パネルの技術分野に関し、具体的にモジュラー展示パネルに関する。
【背景技術】
【０００２】
買い手が直接見て製品をより理解できるようにするため、多くの企業が展示パネルに製品を展示している。現在、市場の展示パネルは構造が複雑で、分解および組立が不便であり、適応性が悪く、展示効果が単一であり、市場の要求に適応することができない。
【考案の概要】
【考案が解決しようとする課題】
【０００３】
本考案の目的は、構造を改良したモジュラー展示パネルを提供することであり、これは構造が簡単で、組立が便利であり、重量および材料を減少させ、輸送が便利であり、適応性が良好で、様々な様式の展示効果に組み立てることができる。
【課題を解決するための手段】
【０００４】
背景技術に存在する問題を解決するため、本考案は以下の技術案を採用する。
いくつかの展示パネルモジュール、いくつかの連結部品、およびいくつかのヒンジ部品を含むモジュラー展示パネルを提供する。前記展示モジュールは矩形状を呈し、展示パネルモジュールの４つの角に４５°の面取り構造が設けられ、該４つの角の厚さ方向の中部にスロットが設けられる。スロットの両側のいずれにもいくつかの棒状突起と、棒状突起と垂直ないくつかのリブとが設けられ、隣接するリブの間に凹部が設けられる。
前記連結部品、ヒンジ部品のいずれにも、いくつかの環状突起または三角状凸台が設けられ、連結部品の上下および／または左右両側に、いくつかの棒状溝が対称に設けられる。前記棒状溝は、展示パネルモジュールのスロットの棒状突起と相互に嵌合し、隣接する展示パネルモジュール間の嵌合接続を実現する。
前記連結部品は第１連結部品、第２連結部品、第３連結部品、第４連結部品、第５連結部品、第６連結部品、第７連結部品、第８連結部品、第９連結部品、第１０連結部品、第１１連結部品、第１２連結部品、第１３連結部品、第１４連結部品および第１５連結部品を含み、前記ヒンジ部品は第１ヒンジ部品、第２ヒンジ部品、第３ヒンジ部品および第４ヒンジ部品を含む。
このうち、Ｔ字形を呈して配列する６枚の展示パネルモジュールを、順番に頂端から中間および底端まで、それぞれ第１０連結部品、第１２連結部品および第８連結部品により一体に接続する。十字形を呈して配列する８枚の展示パネルモジュールを、順番に頂端から中間および底端まで、それぞれ第１３連結部品、第１４連結部品および第１５連結部品により一体に接続する。
【０００５】
本考案において、前記第８連結部品は、３枚の接続プレートが一体に接続してなるＴ字形の差込部品である。前記Ｔ字形の差込部品は、３枚の接続プレートが一体に接続してなり、各接続プレートの頂部両側のいずれにも棒状の縦方向溝が設けられ、各接続プレートの底部両側のいずれにも三角状凸台が設けられ、隣接する２枚の接続プレートの三角状凸台が相互に接続して、展示パネル底端の嵌合接続部が形成される。前記展示パネル底端の嵌合接続部内に円形の貫通孔を設け、型材の重量を軽減させる条件において、さらに第８連結部品が一定の強度を満たすことを保証することができる。さらに、展示パネルモジュールの側端から中心点までの距離は、１枚の展示パネルモジュールの厚さが増加した。
【０００６】
本考案において、前記第１０連結部品は、３枚の接続プレートが一体に接続してなるＴ字形の差込部品である。各接続プレートの底部両側のいずれにも棒状の縦方向溝が設けられ、各接続プレートの頂部両側のいずれにも三角状凸台が設けられ、隣接する２枚の接続プレートの三角状凸台が相互に接続して、展示パネル頂端の嵌合接続部が形成される。前記展示パネル頂端の嵌合接続部内に円形の貫通孔を設け、型材の重量を軽減させる条件において、さらに第１０連結部品が一定の強度を満たすことを保証することができる。さらに、展示パネルモジュールの側端から中心点までの距離は、１枚の展示パネルモジュールの厚さが増加した。
【０００７】
本考案において、前記第１２連結部品は、３枚の接続プレートが一体に接続してなるＴ字形の差込部品である。各接続プレートの頂部両側および底部両側のいずれにも棒状の縦方向溝が設けられ、各接続プレートの中部両側のいずれにも三角状凸台が設けられ、隣接する２枚の第２接続プレートの三角状凸台が相互に接続して、展示パネル中間の嵌合接続部が形成される。前記展示パネル中間の嵌合接続部内に円形の貫通孔を設け、型材の重量を軽減させる条件において、さらに第１２連結部品が一定の強度を満たすことを保証することができる。さらに、展示パネルモジュールの側端から中心点までの距離は、１枚の展示パネルモジュールの厚さが増加した。
【０００８】
本考案において、前記第１３連結部品は、４枚の接続プレートが一体に接続してなる十字形の差込部品である。各接続プレートの頂部両側のいずれにも棒状の縦方向溝が設けられ、各接続プレートの底部両側のいずれにも三角状凸台が設けられ、隣接する２枚の接続プレートの三角状凸台が相互に接続して、展示パネル頂端の嵌合接続部が形成される。前記展示パネル頂端の嵌合接続部内に円形の貫通孔を設け、型材の重量を軽減させる条件において、さらに第１３連結部品が一定の強度を満たすことを保証することができる。さらに、展示パネルモジュールの側端から中心点までの距離は、１枚の展示パネルモジュールの厚さが増加した。
【０００９】
本考案において、前記第１４連結部品は、４枚の接続プレートが一体に接続してなる十字形の差込部品である。各接続プレートの頂部両側および底部両側のいずれにも棒状の縦方向溝が設けられ、各接続プレートの中部両側のいずれにも三角状凸台が設けられ、隣接する２枚の接続プレートの三角状凸台が相互に接続して、展示パネル中間の嵌合接続部が形成される。前記展示パネル中間の嵌合接続部内に円形の貫通孔を設け、型材の重量を軽減させる条件において、さらに第１４連結部品が一定の強度を満たすことを保証することができる。さらに、展示パネルモジュールの側端から中心点までの距離は、１枚の展示パネルモジュールの厚さが増加した。
【００１０】
本考案において、前記第１５連結部品は、４枚の接続プレートが一体に接続してなる十字形の差込部品である。各接続プレートの頂部両側のいずれにも棒状の縦方向溝が設けられ、各接続プレートの底部両側のいずれにも三角状凸台が設けられ、隣接する２枚の接続プレートの三角状凸台が相互に接続して、展示パネル底端の嵌合接続部が形成される。前記展示パネル底端の嵌合接続部内に円形の貫通孔を設け、型材の重量を軽減させる条件において、さらに第１５連結部品が一定の強度を満たすことを保証することができる。さらに、展示パネルモジュールの側端から中心点までの距離は、１枚の展示パネルモジュールの厚さが増加した。
【考案の効果】
【００１１】
本考案は以下の有益な効果を有する。本考案の製品における各接続部材は構造が簡単で、相互間の組立、分解が便利であり、強度を保証する前提で、重量および材料を減らすことができる。さらに、輸送が便利であり、適合性が良好で、色々な新しい様式の展示パネルまたはテーブルに組み立てることができる。
【図面の簡単な説明】
【００１２】
本考案の実施例または既存技術の技術案をより明確に説明するため、以下に、実施例または既存技術についての記載で使用する必要がある図を簡単に紹介する。以下の記載中の図は、本考案のいくつかの実施例に過ぎず、創造的労働を伴わない前提で、当業者が、これらの図が示す実施例に基づいて、さらにその他の実施例およびその図を得ることができることは明らかである。
【００１３】
【図１】図１は、本考案における展示パネルモジュールの構造概要図である。
【図２】図２は、本考案における展示パネルモジュールの断面図である。
【図３】図３は、本考案の構造組立概要図である。
【図４】図４は、本考案における第１連結部品の構造概要図である。
【図５】図５は、本考案における第１ヒンジ部品の構造概要図である。
【図６】図６は、本考案における第２連結部品の構造概要図である。
【図７】図７は、本考案における第２ヒンジ部品の構造概要図である。
【図８】図８は、本考案における第３連結部品の構造概要図である。
【図９】図９は、本考案における第３ヒンジ部品の構造概要図である。
【図１０】図１０は、本考案における第４連結部品の構造概要図である。
【図１１】図１１は、本考案における第５連結部品の構造概要図である。
【図１２】図１２は、本考案における第６連結部品の構造概要図である。
【図１３】図１３は、図２におけるＡ部分の拡大概要図である。
【図１４】図１４は、本考案における第７連結部品の構造概要図である。
【図１５】図１５は、本考案における第８連結部品の構造概要図である。
【図１６】図１６は、本考案における第９連結部品の構造概要図である。
【図１７】図１７は、本考案における第１０連結部品の構造概要図である。
【図１８】図１８は、本考案における第１１連結部品の構造概要図である。
【図１９】図１９は、本考案における第１２連結部品の構造概要図である。
【図２０】図２０は、本考案における第３ヒンジ部品の下端の中間に位置する支持柱にローラを設けた構造概要図である。
【図２１】図２１は、本考案のＴ字形の組立概要図である。
【図２２】図２２は、本考案の閉じていないテーブル構造の組立概要図である。
【図２３】図２３は、本考案の閉じたテーブル構造の組立概要図である。
【図２４】図２４は、本考案における第１３連結部品の構造概要図である。
【図２５】図２５は、本考案における第１４連結部品の構造概要図である。
【図２６】図２６は、本考案における第１５連結部品の構造概要図である。
【図２７】図２７は、本考案の十字形の組立概要図である。
【考案を実施するための形態】
【００１４】
以下の実施例によって、当業者は本考案をより全面的に理解することができるが、いかなる方式によっても、本考案を制限しない。
【００１５】
図１から図２７に示すように、本考案は、構造を改良したモジュラー展示パネルの具体的実施例を提供し、これはいくつかの展示パネルモジュール１、いくつかの連結部品（２、４、５、８、９、１０、１１、１２、１３、１４、１５、１６、１９、２０、２１）、およびいくつかのヒンジ部品（３、６、７、１７）を含む。
前記各矩形状を呈する展示パネルモジュール１に、相互に平行ないくつかの棒状のくぼみ１０１が設けられ、展示パネルモジュール１の４つの角に４５°の面取り構造が設けられる。該４つの角の厚さ方向の中部にスロット１０２が設けられ、該スロット１０２の両側のいずれにも２本の棒状突起１０３と、棒状突起１０３と垂直な４本のリブ１０４とが設けられ、２つの隣接するリブ１０４の間に凹部１０５が設けられる。前記連結部品（２、４、５、８、９、１０、１１、１２、１３、１４、１５、１６）、ヒンジ部品（３、６、７）のいずれにも２〜４個の環状突起が設けられ、連結部品（２、４、５、８、９、１０、１１、１２、１３、１４、１５、１６）の前後、上下および／または左右両側のいずれにも、４〜１６本の棒状溝が対称に設けられる。前記棒状溝は、展示パネルモジュール１のスロット１０２の棒状突起１０３と相互に嵌合し、隣接する展示パネルモジュール１間の嵌合接続を実現する。
【００１６】
このうち、前記連結部品は、第１連結部品２、第２連結部品４、第３連結部品５、第４連結部品８、第５連結部品９、第６連結部品１０、第７連結部品１１、第８連結部品１２、第９連結部品１３、第１０連結部品１４、第１１連結部品１５、第１２連結部品１６、第１３連結部品１９、第１４連結部品２０および第１５連結部品２１を含み、前記ヒンジ部品は第１ヒンジ部品３、第２ヒンジ部品６、第３ヒンジ部品７および第４ヒンジ部品１７を含む。
【００１７】
前記連結部品（２、５、８、１１、１２、１３、１４、１５、１６、１９、２０、２１）、ヒンジ部品（３、６、７、１７）の各平面のいずれにも、１つの環状突起および上下対称の２本または４本の棒状溝が設けられる。
【００１８】
前記連結部品（２、４、５、８、９、１０、１１、１２、１３、１４、１５、１６、１９、２０、２１）の前後の平面の環状突起または三角状凸台は相互に対称であり、連結部品を人が手動で操作するのに便利である。
【００１９】
図４に示すように、第１連結部品２は、前後の平面に２つの環状突起２０１および１６本の棒状溝２０２を含む。このうち、環状突起２０１は第１連結部品２の中間位置に位置し、２つの環状突起２０１は相互に前後に対称である。第１連結部品２の上下両端に位置する棒状溝２０２はそれぞれ前後、上下、左右に対称である。
【００２０】
図６に示すように、第２連結部品４は、前後の平面に２つの環状突起４０１および８本の棒状溝４０２を含む。このうち、環状突起４０１は第２連結部品４の上端の中間位置に位置し、第２連結部品４の下端に位置する棒状溝４０２はそれぞれ、前後、左右に対称である。
【００２１】
図８に示すように、第３連結部品５は、２つの環状突起５０２および８本の棒状溝５０１を含む。このうち、環状突起５０２は第３連結部品５の下端の中間位置に位置し、第３連結部品５の上端に位置する棒状溝５０１はそれぞれ、前後、左右に対称である。前記第３連結部品５の下端の中間位置に、さらに展示パネルモジュール１を支持する支持柱５０３が設けられる。この他、第３連結部品５の下端の中間に位置する支持柱５０３に、さらにローラ構造を設けてもよい。
【００２２】
図１０に示すように、第４連結部品８は、前後の平面に２つの環状突起８０２および８本の棒状溝８０１を含む。このうち、環状突起８０２は第４連結部品８の側端の中間位置に位置し、第４連結部品８の上端、下端に位置する棒状溝８０１はそれぞれ、前後、上下に対称である。
【００２３】
図１１に示すように、第５連結部品９は、前後の平面に２つの環状突起９０１および４本の棒状溝９０２を含む。このうち、環状突起９０１は第５連結部品９の上端の頂角に位置し、第５連結部品９の下端に位置する棒状溝９０２はそれぞれ、前後に対称である。
【００２４】
図１２に示すように、第６連結部品１０は、前後の平面に２つの環状突起１００２および４本の棒状溝１００１を含む。このうち、環状突起１００２は第６連結部品１０の底端の頂角位置に位置し、第６連結部品１０の上端に位置する棒状溝１００１はそれぞれ、前後に対称である。前記第６連結部品１０の下端に、さらに展示パネルモジュール１を支持する支持柱１００３が設けられる。この他、第６連結部品１０の下端の支持柱１００３に、さらにローラ構造を設けてもよい。
【００２５】
図１４に示すように、前記第７連結部品１１はＬ字形構造を呈する。前記Ｌ字形構造の両端において、２つの垂直方向に横方向および縦方向の２本の棒状溝１１０１がそれぞれ設けられる。前記横方向の棒状溝または縦方向の棒状溝はそれぞれ、複数の展示パネルモジュール１の相互間を、横方向または縦方向に取り付けるのに用いられ、前後両面の棒状溝１１０１は相互に対称である。
【００２６】
図１５に示すように、前記第８連結部品１２は、３枚の接続プレート１２０１が一体に接続してなるＴ字形の差込部品である。前記Ｔ字形の差込部品１２は、３枚の接続プレート１２０１が一体に接続してなり、各接続プレート１２０１の頂部両側のいずれにも棒状の縦方向溝１２０２が設けられ、各接続プレート１２０２の底部両側のいずれにも三角状凸台１２０３が設けられ、隣接する２枚の接続プレート１２０２の三角状凸台１２０３が相互に接続して、展示パネル底端の嵌合接続部１２０４が形成される。前記展示パネル底端の嵌合接続部１２０４内に円形の貫通孔を設け、型材の重量を軽減させる条件において、さらに第８連結部品１２が一定の強度を満たすことを保証することができる。さらに、展示パネルモジュール１の側端から中心点までの距離は、１枚の展示パネルモジュール１の１／２の厚さが増加した。
【００２７】
図１６に示すように、前記第９連結部品１３は３面交差構造を呈し、前記３つの端面において、垂直方向に横方向および縦方向の２本の棒状溝１３０１がそれぞれ設けられる。前記横方向の棒状溝または縦方向の棒状溝はそれぞれ、複数の展示パネルモジュール１の相互間を、横方向または縦方向に取り付けるのに用いられ、第９連結部品１３の各端の前後両面の棒状溝１３０１は相互に対称である。
【００２８】
図１７に示すように、前記第１０連結部品１４は、３枚の接続プレート１４０１が一体に接続されてなるＴ字形の差込部品である。各接続プレート１４０１の底部両側のいずれにも棒状の縦方向溝１４０４が設けられ、各接続プレート１４０１の頂部両側のいずれにも三角状凸台１４０３が設けられ、隣接する２枚の接続プレート１４０１の三角状凸台１４０３が相互に接続して、展示パネル頂端の嵌合接続部１４０２が形成される。前記展示パネル頂端の嵌合接続部１４０２内に円形の貫通孔を設け、型材の重量を軽減させる条件において、さらに第１０連結部品１４が一定の強度を満たすことを保証することができる。さらに、展示パネルモジュール１の側端から中心点までの距離は、１枚の展示パネルモジュール１の１／２の厚さが増加した。
【００２９】
図１８に示すように、前記第１１連結部品１５はＬ字形構造を呈する。前記Ｌ字形構造の両端において、垂直方向に横方向および縦方向の２本の棒状溝１５０１がそれぞれ設けられる。前記横方向の棒状溝または縦方向の棒状溝はそれぞれ、複数の展示パネルモジュール１の相互間を、横方向または縦方向に取り付けるのに用いられ、第１１連結部品１５のＬ字形構造の各端における前後両面の棒状溝１５０１は相互に対称である。前記第１１連結部品１５の下端に、さらに展示パネルモジュール１を支持する支持柱１５０２が設けられる。この他、第３連結部品５の下端の支持柱１５０２に、さらにローラ構造を設けてもよい。
【００３０】
図１９に示すように、前記第１２連結部品１６は、３枚の接続プレート１６０２が一体に接続してなるＴ字形の差込部品である。各接続プレート１６０２の頂部両側および底部両側のいずれにも棒状の縦方向溝１６０３が設けられ、各接続プレート１６０２の中部両側のいずれにも三角状凸台１６０５が設けられ、隣接する２枚の第２接続プレート１６０２の三角状凸台１６０４が相互に接続して、展示パネル中間の嵌合接続部１６０１が形成される。前記展示パネル中間の嵌合接続部１６０１内に円形の貫通孔を設け、型材の重量を軽減させる条件において、さらに第１２連結部品１６が一定の強度を満たすことを保証することができる。さらに、展示パネルモジュール１の側端から中心点までの距離は、１枚の展示パネルモジュール１の１／２の厚さが増加した。
【００３１】
図２０に示すように、第４ヒンジ部品１７は、第３ヒンジ部品７を拡張、変形させた製品の１つであり、異なる部分は、第３ヒンジ部品７の下端の支持柱をローラ１７０３に変更したことである。同じ道理で、第３連結部品５、第６連結部品１０、第８連結部品１２、第１１連結部品１５の底端の支持柱をいずれもローラ構造に変更することができ、これにより展示パネルを取り付けた後の部分的または全体的な移動を実現する。
【００３２】
図２４に示すように、前記第１３連結部品１９は、４枚の接続プレート１９０１が一体に接続してなる十字形の差込部品である。各接続プレート１９０１の頂部両側のいずれにも棒状の縦方向溝１９０２が設けられ、各接続プレート１９０１の底部両側のいずれにも三角状凸台１９０４が設けられ、隣接する２枚の接続プレート１９０１の三角状凸台１９０４が相互に接続して、展示パネル頂端の嵌合接続部１９０３が形成される。前記展示パネル頂端の嵌合接続部１９０３内に円形の貫通孔を設け、型材の重量を軽減させる条件において、さらに第１３連結部品１９が一定の強度を満たすことを保証することができる。さらに、展示パネルモジュール１の側端から中心点までの距離は、１枚の展示パネルモジュール１の１／２の厚さが増加した。
【００３３】
図２５に示すように、前記第１４連結部品２０は、４枚の接続プレート２００２が一体に接続してなる十字形の差込部品である。各接続プレート２００２の頂部両側および底部両側のいずれにも棒状の縦方向溝２００３が設けられ、各接続プレート２００２の中部両側のいずれにも三角状凸台２００４が設けられ、隣接する２枚の接続プレート２００２の三角状凸台２００４が相互に接続して、展示パネル中間の嵌合接続部（２００１、２００５）が形成される。前記展示パネル中間の嵌合接続部（２００１、２００５）内に円形の貫通孔を設け、型材の重量を軽減させる条件において、さらに第１４連結部品２０が一定の強度を満たすことを保証することができる。さらに、展示パネルモジュール１の側端から中心点までの距離は、１枚の展示パネルモジュール１の１／２の厚さが増加した。
【００３４】
図２６に示すように、前記第１５連結部品２１は、４枚の接続プレート２１０１が一体に接続してなる十字形の差込部品である。各接続プレート２１０１の頂部両側のいずれにも棒状の縦方向溝２１０２が設けられ、各接続プレート２１０１の底部両側のいずれにも三角状凸台２１０５が設けられ、隣接する２枚の接続プレート２１０１の三角状凸台２１０５が相互に接続して、展示パネル底端の嵌合接続部２１０３が形成される。前記展示パネル底端の嵌合接続部２１０３内に円形の貫通孔を設け、型材の重量を軽減させる条件において、さらに第１５連結部品２１が一定の強度を満たすことを保証することができる。さらに、展示パネルモジュール１の側端から中心点までの距離は、１枚の展示パネルモジュール１の１／２の厚さが増加した。
【００３５】
前記ヒンジ部品（３、６、７、１７）の環状突起内にヒンジが設けられ、ヒンジ部品の上下端面まで延伸し、展示パネルモジュール１間を相互に任意の角度で接続することを実現する。
【００３６】
図５に示すように、第１ヒンジ部品３は２つの環状突起３０２、ヒンジ３０３、８本の棒状溝３０１を含む。このうち、ヒンジ３０３は２つの環状突起３０２の間に位置し、第１ヒンジ部品３の上下両端の端面まで延伸する。前記前後、上下、左右両面の棒状溝３０１はいずれも相互に対称である。
【００３７】
図７に示すように、第２連結部品６は２つの環状突起６０１、ヒンジ６０３、４本の棒状溝６０２を含む。このうち、ヒンジ６０３は２つの環状突起６０１の間に位置し、第２ヒンジ部品６の上下両端の端面まで延伸する。前記前後、左右両面の棒状溝６０２は相互に対称である。
【００３８】
図９に示すように、第３ヒンジ部品７は２つの環状突起７０２、ヒンジ７０３、４本の棒状溝７０１を含む。このうち、ヒンジ７０３は２つの環状突起７０２の間に位置し、第３ヒンジ部品７の上下両端の端面まで延伸する。前記前後、左右両面の棒状溝７０１は相互に対称である。前記第３ヒンジ部品７の下端に、さらに展示パネルモジュール１を支持する支持柱７０４が設けられる。この他、第３ヒンジ部品７の下端の支持柱７０４に、さらにローラ構造を設けてもよい。
【００３９】
図３に示すように、構造組立概要図は、６枚の展示パネルモジュール１（上部の３枚の展示パネルモジュール１および下部の３枚の展示パネルモジュール１）を相互に接続し、Ｌ字形の平面構造を呈した概要図である。このうち、上部の３枚の展示パネルモジュール１はそれぞれ、第１連結部品２、第１ヒンジ部品３、第４連結部品８により、下部の３枚の展示パネルモジュール１と接続される。上部の３枚の展示パネルモジュール１の頂部はそれぞれ、第２連結部品４、第２ヒンジ部品６、第５連結部品９により接続される。下部の３枚の展示パネルモジュール１の底部はそれぞれ、第３連結部品５、第３ヒンジ部品７、第６連結部品１０により接続され、第３連結部品５、第３ヒンジ部品７、第６連結部品１０の下端の支持柱またはローラ構造は、該６枚の展示パネルモジュール１からなるモジュラー展示パネルを支持する。
【００４０】
図２１に示すのは、６枚の展示パネルモジュール１を相互に接続し、Ｔ字形の立体構造を呈した展示パネルの概要図である。展示パネルモジュール１が接続する中心線部分にそれぞれ第１０連結部品１４、第１２連結部品１６、および第８連結部品１２を使用して、固定接続する。
【００４１】
図２２に示すように、５枚の展示パネルモジュール１を、６つの第６連結部品１０、４つの第７連結部品１１、および２つの第１０連結部品１４を使用して接続し、該閉じていないテーブル構造を形成する。
【００４２】
図２３に示すように、８枚の展示パネルモジュール１を、４つの第１１連結部品１５、２つの第８連結部品１２、２つの第１０連結部品１４、２つの第４連結部品８、および４つの第９連結部品１３を使用して接続し、該閉じたテーブル構造を形成する。
【００４３】
図２１に示すように、Ｔ字形を呈して配列する６枚の展示パネルモジュール１を、順番に頂端から中間および底端までそれぞれ第１０連結部品１４、第１２連結部品１６および第８連結部品１２により一体に接続する。図２７に示すように、十字形を呈して配列する８枚の展示パネルモジュール１を、順番に頂端から中間および底端までそれぞれ第１３連結部品１９、第１４連結部品２０および第１５連結部品２１により一体に接続する。
【００４４】
上記実施例は本考案の技術的構想および特徴を説明したに過ぎず、その目的は当業者が本考案の内容を理解して、実施できるようにすることであり、これにより本考案の保護範囲を制限することはできない。本考案の主旨、本質に基づいて行う同等の変化または修飾は、いずれも本考案の保護範囲内に包含されるべきである。
【符号の説明】
【００４５】
１  展示パネルモジュール
１０１  棒状のくぼみ
１０２  スロット
１０３  棒状突起
１０４  リブ
１０５  凹部
２  第１連結部品
２０１  環状突起
２０２  棒状溝
３  第１ヒンジ部品
３０１  棒状溝
３０２  環状突起
３０３  ヒンジ
４  第２連結部品
４０１  環状突起
４０２  棒状溝
５  第３連結部品
５０１  棒状溝
５０２  環状突起
５０３  支持柱
６  第２ヒンジ部品
６０１  環状突起
６０２  棒状溝
６０３  ヒンジ
７  第３ヒンジ部品
７０１  棒状溝
７０２  環状突起
７０３  ヒンジ
７０４  支持柱
１７  第４ヒンジ部品
１７０１  棒状溝
１７０２  環状突起
１７０３  ローラ
１７０４  ヒンジ
８  第４連結部品
８０１  棒状溝
８０２  環状突起
９  第５連結部品
９０１  環状突起
９０２  棒状溝
１０  第６連結部品
１００１  棒状溝
１００２  環状突起
１００３  支持柱
１１  第７連結部品
１１０１  棒状溝
１２  第８連結部品
１２０１  接続プレート
１２０２  棒状の縦方向溝
１２０３  三角状凸台
１２０４  展示パネル底端の嵌合接続部
１２０５  支持柱
１３  第９連結部品
１３０１  棒状溝
１４  第１０連結部品
１４０１  接続プレート
１４０２  展示パネル頂端の嵌合接続部
１４０３  三角状凸台
１４０４  棒状の縦方向溝
１５  第１１連結部品
１５０１  棒状溝
１５０２  支持柱
１６  第１２連結部品
１６０１  展示パネル中間の嵌合接続部
１６０２  接続プレート
１６０３  棒状の縦方向溝
１６０４  三角状凸台
１６０５  三角状凸台
１９  第１３連結部品
１９０１  接続プレート
１９０２  棒状の縦方向溝
１９０３  展示パネル頂端の嵌合接続部
１９０４  三角状凸台
２０  第１４連結部品
２００２  接続プレート
２００３  棒状の縦方向溝
２００４  三角状凸台
２００１  展示パネル中間の嵌合接続部
２００５  展示パネル中間の嵌合接続部
２１  第１５連結部品
２１０１  接続プレート
２１０２  棒状の縦方向溝
２１０３  展示パネル底端の嵌合接続部
２１０４  支持柱
２１０５  三角状凸台
【図１】
0003206333.tif 000003
【図２】
0003206333.tif 000004
【図３】
0003206333.tif 000005
【図４】
0003206333.tif 000006
【図５】
0003206333.tif 000007
【図６】
0003206333.tif 000008
【図７】
0003206333.tif 000009
【図８】
0003206333.tif 000010
【図９】
0003206333.tif 000011
【図１０】
0003206333.tif 000012
【図１１】
0003206333.tif 000013
【図１２】
0003206333.tif 000014
【図１３】
0003206333.tif 000015
【図１４】
0003206333.tif 000016
【図１５】
0003206333.tif 000017
【図１６】
0003206333.tif 000018
【図１７】
0003206333.tif 000019
【図１８】
0003206333.tif 000020
【図１９】
0003206333.tif 000021
【図２０】
0003206333.tif 000022
【図２１】
0003206333.tif 000023
【図２２】
0003206333.tif 000024
【図２３】
0003206333.tif 000025
【図２４】
0003206333.tif 000026
【図２５】
0003206333.tif 000027
【図２６】
0003206333.tif 000028
【図２７】
0003206333.tif 000029